(57)【要約】【課題】エアゾール容器のバルブステムとエアゾール容器用噴射装置との挿嵌状態を容易に解除することができるようにすることを目的とする。【解決手段】エアゾール容器３０に装着されて押圧されると、バルブステムを開放して内容物を噴出させ、噴出された内容物を噴射口１０から外部へ噴射させる略円筒形状のエアゾール容器用噴射装置１であって、略円筒形状の上方部に形成され、外部から押圧される押圧部６と、噴射口１０を中心として側縁部２に対称的に形成された一対の平面部３ａ，３ｂと、エアゾール容器用噴射装置１の内側へ湾曲するように形成され、一対の平面部３ａ，３ｂと押圧部６の両側部とを繋ぐ一対の湾曲部５ａ，５ｂと、を有する。【選択図】図１
2008213851.tif 000002
【特許請求の範囲】
【請求項１】
エアゾール容器に装着されて押圧されると、バルブステムを開放して内容物を噴出させ、噴出された内容物を噴射口から外部へ噴射させる略円筒形状のエアゾール容器用噴射装置であって、
前記略円筒形状の上方部に形成され、外部から押圧される押圧部と、
前記噴射口を中心として側縁部に対称的に形成された一対の平面部と、
前記エアゾール容器用噴射装置の内側へ湾曲するように形成され、前記一対の平面部と前記押圧部の両側部とを繋ぐ一対の湾曲部と、を有することを特徴とするエアゾール容器用噴射装置。
【請求項２】
前記一対の平面部は、前記側縁部の左右側壁に略平行に形成されたことを特徴とする請求項１記載のエアゾール容器用噴射装置。
【請求項３】
前記一対の湾曲部は、前記一対の平面部の前部から前記噴射口に向けて形成されたことを特徴とする請求項１または請求項２に記載のエアゾール容器用噴射装置。
【発明の詳細な説明】
【技術分野】
【０００１】
本発明は、エアゾール容器に装着され、エアゾール容器のバルブステムから噴出される内容物を外部へ噴射させるエアゾール容器用噴射装置に関する。
【背景技術】
【０００２】
消臭剤や殺虫剤等のように、エアゾール容器の内容物を噴射口から外部へ噴射させるエアゾール製品が知られている。
エアゾール製品は、一般に、噴射剤として圧縮された可燃性ガスが液状又は粉状の内容物と一緒に充填されたエアゾール容器と、このエアゾール容器のバルブステムに装着されてバルブステムから内容物を噴出させて外部へ噴射させる噴射装置とを備えている（特許文献１の図１参照）。
【０００３】
ところで、エアゾール製品に使用されるエアゾール容器は金属製品であり、噴射装置は合成樹脂製品であり、互いに材質が異なる製品であるため、使用済みのエアゾール製品を廃棄する際には、エアゾール容器から噴射装置を取り外して、分別廃棄することが望まれている。  
【０００４】
特許文献２には、エアゾール製品を廃棄する際に、僅かな操作力でエアゾール容器から取り外しできるようにした噴射装置が開示されている。分別廃棄するために、エアゾール容器から取り外すときは、ヒンジ部を回転中心として押圧部を前方に引き起こして、バルブステムから押圧部が離脱した状態にする。次いで、押圧部を筒状の噴射装置本体部から引き離すように引っ張ると、薄肉部において破断が起こり、わずかな操作力で、噴射装置本体部の一対の薄肉部により挟まれた部位が引きちぎられて、噴射装置本体部から押圧部が分離される。
【０００５】
この押圧部の分離により、エアゾール容器のマウンテンカップ部に嵌合している噴射装置本体部は、周方向の一部が切り離された形態になり、この切り離し部を左右に押し開く方向に付勢することで、噴射装置本体部をマウンテンカップ部から簡単に取り外すことができるようになっている。
【０００６】
また、一般にエアゾール容器は、液状、粉状の内容物を使い切った後でも内容物放出用の可燃性ガスが残っていることが多い。可燃性ガスは火気があれば引火して爆発燃焼する可能性のあるガスであるため、可燃性ガスが残ったままの状態でエアゾール容器を廃棄すると思わぬ事態が生じかねない。このため、残留ガスを全て排出させてからエアゾール容器を廃棄することができるように、残留ガス排出機能を備えた噴射装置が提案されている。
【０００７】
特許文献３には、バルブステムからエアゾールボタンを取ってから、ガス抜き兼用エアゾールキャップを装着させるタイプの残留ガス排出機構が開示されている。このようなタイプの残留ガス排出機構では、まずバルブステムからエアゾールボタンを取り外さなければならない。従来、エアゾールボタンを取り外すには、人が指でつまんで引き上げたり、ペンチなどの工具を使って取り外していた。
【０００８】
【特許文献１】特開２００３−２２６３８１号公報
【特許文献２】特開２００３−８１３７０号公報
【特許文献３】特開平０８−３２４６６１号公報
【発明の開示】
【発明が解決しようとする課題】
【０００９】
しかしながら、特許文献１に示すような噴射装置をエアゾール容器から容易に取り外すためには特許文献２の構成を採用することは困難である。特許文献1に記載の噴射装置はエアゾールバルブに挿嵌されているだけで、特許文献２に示すような噴射装置のすその部位、即ち容器結合用環状部がマウンテンカップの外周を覆うタイプのものではないからである。
【００１０】
そこで、特許文献１のような単純にエアゾールバルブに挿嵌されるタイプの噴射装置においても、エアゾール容器から容易に取り外すことができるよう工夫する必要がある。エアゾール容器から噴射装置が取り外しにくいと、ユーザーの分別する意思が揺らぎ分別廃棄が徹底されにくい。
【００１１】
さらに、特許文献３のタイプでは、工具を用意しなければならなかったり、人が指で引き上げる場合ではエアゾールボタンと指とが滑ってうまく取り外すことが難しい。
【００１２】
本発明は、上記課題を解決するためになされたものであって、エアゾール容器のバルブステムに挿嵌されマウンテンカップの内側に装着されるエアゾール容器用噴射装置において、エアゾール容器のバルブステムとエアゾール容器用噴射装置との挿嵌状態を容易に解除することができるようにすることを目的とする。
【課題を解決するための手段】
【００１３】
上記課題を解決することのできる本発明は、エアゾール容器に装着されて押圧されると、バルブステムを開放して内容物を噴出させ、噴出された内容物を噴射口から外部へ噴射させる略円筒形状のエアゾール容器用噴射装置であって、
前記略円筒形状の上方部に形成され、外部から押圧される押圧部と、前記噴射口を中心として側縁部に対称的に形成された一対の平面部と、前記エアゾール容器用噴射装置の内側へ湾曲するように形成され、前記一対の平面部と前記押圧部の両側部とを繋ぐ一対の湾曲部と、を有することを特徴とする。
【００１４】
また、本発明において、前記一対の平面部は、前記側縁部の左右側壁に略平行に形成されたことを特徴とする。
【００１５】
さらに、本発明において、前記一対の湾曲部は、前記一対の平面部の前部から前記噴射口に向けて形成されたことを特徴とする。
【００１６】
上記構成によれば、側縁部に一対の平面部を対称的に形成し、各平面部に湾曲部をそれぞれ繋げるように形成した。一対の湾曲部を、エアゾール容器用噴射装置の内側へ湾曲するように形成した。
一対の湾曲部を内側へ湾曲するように形成することで、一対の平面部を指で狭持してエアゾール容器用噴射装置を引き上げたときに、狭持していた指が上方へ滑るのを湾曲部で防止することができる。
【００１７】
よって、エアゾール容器用噴射装置をエアゾール容器と分別する際に、エアゾール容器用噴射装置とバルブステムとの挿嵌状態を容易に解除することができる。
これにより、エアゾール容器からエアゾール容器用噴射装置を容易に取り外すことができる。
【００１８】
ここで、エアゾール容器からエアゾール容器用噴射装置を取り外すために一対の平面部を指で狭持するとき、一般に噴射口を前に向けて一対の平面部を指で挟持する。
そこで、一対の平面部を側縁部の左右側壁に略平行に形成した。これにより、一対の平面部を指で挟持する位置に容易に配置することが可能になり、エアゾール容器用噴射装置とバルブステムとの挿嵌状態を一層容易に解除することができる。
【００１９】
さらに一対の湾曲部を一対の平面部の前部から噴射口に向けて形成した。
これにより、一対の平面部を指で挟持したとき、指先を一対の湾曲部に自然に位置させることができるので、エアゾール容器用噴射装置とバルブステムとの挿嵌状態を一層容易に解除することができる。
【発明を実施するための最良の形態】
【００２０】
以下、本発明に係るエアゾール容器用噴射装置の実施形態を図面を参照しつつ詳細に説明する。図１は、本実施形態のエアゾール容器用噴射装置の正面図、図２は、本実施形態のエアゾール容器用噴射装置の背面図、図３は、本実施形態のエアゾール容器用噴射装置の右側面図、図４は、本実施形態のエアゾール容器用噴射装置の平面図、図５は、本実施形態のエアゾール容器用噴射装置の底面図、図６は、図１のＡ−Ａ'線断面図、図７はエアゾール容器からエアゾール用噴射装置を取り外す様子を示す模式図である。
【００２１】
本実施の形態のエアゾール容器用噴射装置１は、エアゾール容器３０（図７参照）のバルブステム（不図示）に挿嵌されマウンテンカップの内側に装着されるエアゾール容器用噴射ボタンである。
このエアゾール容器用噴射装置１は、例えば、化粧品や殺虫剤などを充填したエアゾール容器３０（図７参照）に装着されて、エアゾール容器３０の頂部中央に装備された直管状のバルブステム（不図示）から噴出される内容物を外部へ噴射させる。
【００２２】
エアゾール容器用噴射装置１は、側縁部（側縁壁）２が円筒状に形成され（図４参照）、側縁部２の頂部に押圧部６が前部から後部に向けて下り勾配に形成され（図３、図６参照）、押圧部６の表面に複数の凹凸部７（図２、図４参照）が左右方向を向いて形成され、側縁部２内にステム嵌合部８（図６参照）が同軸上に形成され、ステム嵌合部８の上端部９から噴射口１０（図６参照）が前方に向けて延出されている。
【００２３】
図５、図６に示すように、ステム嵌合部８に、エアゾール容器３０側のバルブステム（不図示）に嵌合する嵌合孔１１が形成され、嵌合孔１１は噴射口１０に連通されている。
【００２４】
これにより、押圧部６の凹凸部７を指で押圧し、ステム嵌合部８でバルブステムを押圧する。バルブステムを押し下げることで、バルブステムが開放し、図７に示すエアゾール容器３０内の内容物を嵌合孔１１まで噴出させる。
噴出された内容物は、嵌合孔１１を経てエアゾール容器用噴射装置１の噴射口１０から外部へ噴射される。
【００２５】
図１に示すように、エアゾール容器用噴射装置１は、側縁部２に形成された左右の平面部（一対の平面部）３と、各平面部３にそれぞれ繋がるように形成された左右の湾曲部（一対の湾曲部）５とを有する。
【００２６】
左右の平面部３は、図１および図４に示すように、噴射口１０を中心として左右対称に対向するように形成されている。側縁部２の左側壁に左平面部３ａが形成され、左平面部３ａと略平行に側縁部２の右側壁に右平面部３ｂが形成されている。
すなわち、左右の平面部３は、側縁部２の左右の側壁に対称的に、かつ、前後方向に向けて互いに平行に設けられ、例えば親指３２と人差し指３３（図７参照）で挟持可能な平坦面である。
加えて、左右の平面部３は、図１に示すように、側縁部２の左右の壁から凹んだ状態に形成されている。
【００２７】
図１、図３に示すように、左右の湾曲部５は、左湾曲部５ａが左平面部３ａに繋がるように左平面部３ａの前部から噴射口１０に向けて張り出され、右湾曲部５ｂが右平面部３ｂに繋がるように右平面部３ｂの前部から噴射口に向けて張り出されている。
【００２８】
左右の湾曲部５ａ，５ｂは、エアゾール容器用噴射装置１の内側へ湾曲するように形成されている。これにより、左右の平面部３を挟持した親指３２と人差し指３３が上方に滑ることを左右の湾曲部５ａ，５ｂによって防止できる。
【００２９】
つぎに、エアゾール容器３０からエアゾール容器用噴射装置１を取り外す例を図７に基づいて説明する。
図１に示す左右の平面部３ａ，３ｂを、図７に示す親指３２と人差し指３３で挟持する。ここで、図１に示すように、左右の平面部３ａ，３ｂは、噴射口１０を中心として側縁部２の左右側壁に対称的かつ略平行になるよう形成されている。
【００３０】
よって、噴射口１０を前に向けた状態で、左右の平面部３ａ，３ｂを親指３２と人差し指３３を無理のない動作で挟持可能になる。
これにより、左右の平面部３を親指３２と人差し指３３の自然な動作で挟持できる。
【００３１】
図１、図３に示すように、左右の湾曲部５ａ，５ｂは、左右の平面部３ａ，３ｂの前部から噴射口１０に向けてそれぞれ張り出されている。
よって、噴射口１０を前方に向けた状態で左右の平面部３ａ，３ｂを親指３２と人差し指３３で挟持することにより、図７に示す親指３２の指先３２ａが右湾曲部５ｂに位置し、図７に示す人差し指３３の指先３３ａが左湾曲部５ａに位置する。
【００３２】
この状態で、エアゾール容器用噴射装置１を親指３２と人差し指３３とで引き上げる。親指３２の指先３２ａが右湾曲部５ｂに位置し、人差し指３３の指先３３ａが左湾曲部５ａに位置するので、親指３２と人差し指３３とが上方へ滑るのを左右の湾曲部５ａ，５ｂで防止できる。
【００３３】
よって、エアゾール容器用噴射装置１をエアゾール容器３０と分別する際やエアゾール容器内の残留ガスを排出する際に、エアゾール容器用噴射装置１とバルブステム（不図示）との挿嵌状態を容易に解除することができる。
これにより、エアゾール容器３０からエアゾール容器用噴射装置１を容易に取り外すことができる。
【図面の簡単な説明】
【００３４】
【図１】本実施形態にかかるエアゾール容器用噴射装置の一実施の形態の正面図である。
【図２】図１に示した噴射装置の背面図である。
【図３】図１に示した噴射装置の右側面図である。
【図４】図１に示した噴射装置の平面図である。
【図５】図１に示した噴射装置の底面図である。
【図６】図１のＡ−Ａ'断面図である。
【図７】エアゾール容器からエアゾール用噴射装置を取り外す様子を示す模式図である。
【符号の説明】
【００３５】
１：エアゾール容器用噴射装置、２：側縁部、３ａ，３ｂ：左右の平面部（一対の平面部）、５ａ，５ｂ：左右の湾曲部（一対の湾曲部）、１０：噴射口、１３：延長線、３０：エアゾール容器
【図１】
2008213851.tif 000003
【図２】
2008213851.tif 000004
【図３】
2008213851.tif 000005
【図４】
2008213851.tif 000006
【図５】
2008213851.tif 000007
【図６】
2008213851.tif 000008
【図７】
2008213851.tif 000009